【手続補正書】
【提出日】令和1年11月25日(2019.11.25)
【手続補正１】
【補正対象書類名】明細書
【補正対象項目名】全文
【補正方法】変更
【補正の内容】
【発明の詳細な説明】
【発明の名称】施解錠装置
【技術分野】
【０００１】
本発明は、非電気錠を電気錠化する際に用いて好適な施解錠装置に関する。
【背景技術】
【０００２】
施解錠装置として、電動モーターにより施解錠を行うようにした電気錠タイプのものが知られている。また、施解錠装置には、錠機構部に連動連結される杆状のグリップの両端を長手方向両端でそれぞれ台座に支持するプッシュプル錠タイプのものがある（特許文献１等参照）。プッシュプル錠は、室内側から扉を開放する際、例えば台座に対しグリップが押し込み方向に可動されることで、扉に内蔵された錠箱のラッチボルトを錠箱内へ後退させ、扉を押す方向へ開放可能にする。一方、室外側に取り付けられるグリップは、扉を開放する際、台座に対しグリップが引かれる方向に可動されることで、ラッチボルトを錠箱内へ後退させ、扉を引く方向に開放可能にする。これにより、扉の開放方向とラッチボルトの後退操作を一致させ、扉の良好な開放操作性を実現する。
【０００３】
ところで、従来、非電気錠タイプのプッシュプル錠を、電気錠タイプのプッシュプル錠へ変更するには、錠箱がモーターを内蔵した電気錠タイプのものへと交換される。これに伴って一般的には既存室外側グリップユニット及び既存室内側グリップユニットも新規のものへと交換される。また、室外側の自動施解錠を可能とするためのリーダーユニットを扉室外面に取り付けたり、閉扉状態を検知する被検知部材や閉扉検知センサを扉枠や扉に取り付けたりする工事が行われる。さらに、上記リーダーユニット、閉扉検知センサを錠箱内の制御盤や電源部に接続する配線工事が行われていた。
【先行技術文献】
【特許文献】
【０００４】
【特許文献１】特開２０１２−８７４９５号公報
【発明の概要】
【発明が解決しようとする課題】
【０００５】
しかしながら、電気錠タイプへの変更に際し、事実上殆どの構成部材を交換することは、不経済であり、環境保護の観点からも望ましくない。また、新たな錠箱、室内側グリップユニット、室外側グリップユニット、リーダーユニット等を現場工事にて取り付け、さらに、これを現場配線工事にて接続するのには、多大な施工労力が必要となるとともに、時間もかかり、且つ、コストも増大した。特に、錠箱、シリンダー錠、サムターンがそれぞれ２つずつ必要となるプッシュプル錠タイプの施解錠装置ではこれらの不具合が顕著となった。
【０００６】
本発明は上記状況に鑑みてなされたもので、その目的は、取り付け・取り替えを簡易に行うことができる施解錠装置を提供することにある。
【課題を解決するための手段】
【０００７】
次に、上記の課題を解決するための手段を、実施の形態に対応する図面を参照して説明する。
本発明の請求項１記載の施解錠装置３００は、扉２５の室内面２９に取り付けられる略棒状のプッシュプルグリップ１５と、
前記プッシュプルグリップ１５の両端をそれぞれ包囲して支持するカバー部３３が対となって形成され、一対の前記カバー部３３を連結する筐体中央部３５が空間部３７を有し、前記プッシュプルグリップ１５の延在方向と同方向に延びて前記室内面２９に沿う筐体１７と、
一対の前記カバー部３３の少なくともいずれか一方に設けられ、前記扉２５に設けられるシリンダー錠１３に接続された錠箱１１に対し、施解錠操作力を入力するサムターン５０と、
前記筐体１７の内方に設けられる駆動ユニット（５５，５７）と、
前記駆動ユニット（５５，５７）に設けられ、前記サムターン５０のサムターン軸を回転させるモーターに接続される制御盤１９と、
前記筐体１７に付設される電池ボックス２１と、
前記筐体１７の内方で前記電池ボックス２１と前記制御盤１９とを接続する給電用配線２３と、
を具備することを特徴とする。
【０００８】
この施解錠装置３００では、室内側ユニットを交換するだけで、既存のプッシュプル錠が電気錠（電池錠）に交換可能となる。電気的構成を扉２５に増設せずに、扉２５の室内面２９への取り付け、交換作業のみで、手動のプッシュプル錠から電気錠式のプッシュプル錠１００に変更が可能となる。取り付けるために扉２５の室内面２９に彫り込みなどの加工をする必要がなく、配線を通すための貫通孔を扉２５に施工する必要もない。すなわち、室内側のユニットを交換するのみで、手動のプッシュプル錠が電気錠式のプッシュプル錠１００に変わる。
また、電池ボックス以外の電気錠の構成を、筐体１７に収めることにより、筐体１７をコンパクト化できる。これにより、ダイカスト製の筐体１７の製造を容易にできる。
これに加え、施解錠装置３００は、部品の共通化が可能となる。すなわち、施解錠装置３００は、サムターン５０が２つの場合と１つの場合がある。施解錠装置３００では、サムターン５０及び駆動ユニットをそれぞれ収めることのできる一対のカバー部３３を筐体１７に備えるので、サムターン５０及び駆動ユニットを増減することで、どちらの仕様にも対応が可能となる。つまり、筐体１７は、サムターンが２つ用と１つ用の共通筐体とすることが可能となる。
【０００９】
本発明の請求項２記載の施解錠装置３００は、請求項１記載の施解錠装置であって、前記制御盤１９は、前記空間部３７に配置されることを特徴とする。
【００１０】
この施解錠装置３００では、筐体１７の両端に設けられる一対のカバー部３３を連結している筐体中央部３５が、空間部３７を有する。制御盤１９は、この空間部３７に収容される。空間部３７は、プッシュプルグリップ１５の背面側に配置されるので、短い距離でアクセスが可能となる。その反面、空間部３７は、筐体中央部３５に覆われた中空部分であるので、手指が触れないような隠蔽構造に形成できる。
【００１１】
本発明の請求項３記載の施解錠装置３００は、請求項１記載の施解錠装置であって、前記電池ボックス２１は、前記空間部３７に配置されることを特徴とする。
【００１２】
この施解錠装置３００では、電池ボックス２１が、制御盤１９と同様に、空間部３７に設けられる。従って、制御盤１９を配置した作用と同様の作用を、電池ボックス２１に対しても得ることができる。すなわち、電池ボックス２１は、プッシュプルグリップ１５の背面側に配置されるので、短い距離でアクセスが可能となる。その反面、空間部３７は、筐体中央部３５に覆われた中空部分であるので、手指が触れないような隠蔽構造に形成できる。
【００１３】
本発明の請求項４記載の施解錠装置３００は、扉２５の室内面２９に取り付けられる略棒状のプッシュプルグリップ１５と、
前記プッシュプルグリップ１５の一端１６を包囲して支持し、前記プッシュプルグリップ１５の他端への延在方向と同方向に延びて前記室内面２９に沿う筐体１７と、
前記一端１６から前記プッシュプルグリップ１５の仮想延長上における前記筐体１７に設けられ、前記扉２５に設けられるシリンダー錠１３に接続された錠箱１１に対し、施解錠操作力を入力するサムターン５０と、
前記筐体１７の内方に設けられる駆動ユニット（５５，５７）と、
前記駆動ユニット（５５，５７）に設けられ、前記サムターン５０のサムターン軸を回転させるモーターに接続される制御盤１９と、
前記筐体１７に付設される電池ボックス２１と、
前記筐体１７の内方で前記電池ボックス２１と前記制御盤１９とを接続する給電用配線２３と、
を具備することを特徴とする。
【００１４】
この施解錠装置３００では、室内側ユニットを交換するだけで、既存のプッシュプル錠が電気錠（電池錠）に交換可能となる。電気的構成を扉２５に増設せずに、扉２５の室内面２９への取り付け、交換作業のみで、手動のプッシュプル錠から電気錠式のプッシュプル錠１００に変更が可能となる。取り付けるために扉２５の室内面２９に彫り込みなどの加工をする必要がなく、配線を通すための貫通孔を扉２５に施工する必要もない。すなわち、室内側のユニットを交換するのみで、手動のプッシュプル錠が電気錠式のプッシュプル錠１００に変わる。
また、電池ボックス以外の電気錠の構成を、筐体１７に収めることにより、筐体１７をコンパクト化できる。これにより、ダイカスト製の筐体１７の製造を容易にできる。
【００１５】
なお、本発明の施解錠装置３００は、前記制御盤１９は、前記室内面２９と前記プッシュプルグリップ１５との間における前記筐体１７の内方に設けられ、前記筐体１７に備えられた開閉自在な蓋体６１により設定スイッチ６３が表出自在となることを特徴としてもよい。
【００１６】
この施解錠装置３００では、筐体中央部３５の空間部３７に制御盤１９が収容される。制御盤１９は、設定スイッチ６３を備える。設定スイッチ６３は、非操作時、蓋体６１により手指が触れないような隠蔽構造で覆われる。一方、操作時には、蓋体６１が開かれることにより、プッシュプルグリップ１５の近傍で表出し、容易なアクセスが可能となる。これにより、プッシュプルグリップ１５の背面側の部分も使い、施解錠装置３００をコンパクトに構成しながら、ユーザーの使いやすさに配慮することができる。
【００１７】
また、本発明の施解錠装置３００は、前記制御盤１９にはアンテナが接続され、
該アンテナは、前記室内面２９と前記プッシュプルグリップ１５との間における前記筐体１７の内方に設けられることを特徴としてもよい。
【００１８】
この施解錠装置３００では、アンテナが、ユーザーの使うリモコン等の携帯端末と通信を行う。アンテナは、検知範囲がアンテナを中心に球状に広がる。このアンテナは、室内面２９とプッシュプルグリップ１５との間、すなわち、プッシュプルグリップ１５の背面側における筐体１７の内方に設けられる。また、アンテナは、プッシュプルグリップ１５の延在方向における中央部分の背面側に配置される。これにより、アンテナは、ユーザーが使うリモコン等との高さと近接させ、且つ扉２５の室外面により近い部分での配置が可能となる。
【発明の効果】
【００１９】
本発明に係る請求項１記載の施解錠装置によれば、取り付け・取り替えを簡易に行うことができるとともに、異なる仕様に対して部品を共通化することができる。
【００２０】
本発明に係る請求項２記載の施解錠装置によれば、制御盤の配置位置を空間部としたことで筐体を小型化でき、且つ制御盤には容易には触れないようにできる。
【００２１】
本発明に係る請求項３記載の施解錠装置によれば、空間部に電池ボックスを配置したことで筐体の小型化を図れ、また、電池交換を容易にできる。
【００２２】
本発明に係る請求項４記載の施解錠装置によれば、扉への取り付け・取り替えを簡易に行うことができ、作業性、施工性が向上する。
【図面の簡単な説明】
【００２３】
【図１】本発明に係る施解錠装置を室内側から見た斜視図である。
【図２】図１に示した施解錠装置の側面図である。
【図３】図１に示した施解錠装置の分解斜視図である。
【図４】図１に示した施解錠装置の側断面図である。
【図５】図４の上側部分の拡大図である。
【図６】図４の下側部分の拡大図である。
【図７】（ａ）は図１に示した室内側ユニットにおける上側部分の背面図、（ｂ）は図１に示した室内側ユニットにおける下側部分の背面図である。
【図８】（ａ）は図１に示した室内側ユニットの蓋体閉状態の一部裁断正面図、（ｂ）は図１に示した室内側ユニットの蓋体開状態の一部裁断正面図である。
【発明を実施するための形態】
【００２４】
以下、本発明に係る実施形態を図面を参照して説明する。
図１は本発明に係る施解錠装置を室内側から見た斜視図である。
本実施形態に係る施解錠装置は、非電気錠タイプのプッシュプル錠を、電気錠タイプのプッシュプル錠１００へ変更する際に好適となる。プッシュプル錠１００は、室外側ユニット２００と、室内側ユニット３００と、からなる。本実施形態に係る施解錠装置は、このうちの室内側ユニット３００に適用される。以下、本実施形態に係る施解錠装置は、室内側ユニット３００を例に説明する。
【００２５】
図２は図１に示した施解錠装置の側面図である。
室内側ユニット３００を用いた場合、既存の室外側ユニット２００及び錠箱１１はそのまま使用が可能となる。つまり、室内側ユニット３００は、図示しない既存の室内側ユニットと交換される。既存の室外側ユニット２００には、上側のシリンダー錠１３、下側のシリンダー錠１３が設けられ、これらは上側の錠箱１１、下側の錠箱１１にそれぞれ接続されている。
【００２６】
図３は図１に示した施解錠装置の分解斜視図である。
室内側ユニット３００は、プッシュプルグリップ１５と、筐体１７と、サムターン５０と、駆動ユニットと、制御盤１９と、電池ボックス２１と、給電用配線２３と、を有する。
【００２７】
プッシュプルグリップ１５は、扉２５を開閉するための操作部材である。すなわち、扉２５を開閉するための握り部となる。プッシュプルグリップ１５は、後述するラッチ機構２７（図５参照）によるラッチ操作を行うものが主であるが、ラッチ機構２７は必須ではない。そのため、プッシュプルグリップ１５は、揺動する構成（軸で支持される等）も必須ではない。プッシュプルグリップ１５は、単に扉２５を押して開ける又は引いて開けるための棒状の部材であってもよい。
【００２８】
プッシュプルグリップ１５は、略棒状に形成され、扉２５の室内面２９に取り付けられる。本実施形態において、プッシュプルグリップ１５は、緩やかに湾曲した略角柱状に形成される。プッシュプルグリップ１５は、長手方向が上下方向となる向きで取り付けられ、延在方向の両端が支持される。本実施形態において、プッシュプルグリップ１５は、長手方向の中央部が把持部となる。
【００２９】
筐体１７は、プッシュプルグリップ１５の延在方向と同方向に延びて、室内面２９に沿う長尺形状で形成される。筐体１７は、背面が室内面２９に密接する。また、筐体１７は、表面がプッシュプルグリップ１５の曲率と同一の曲率の凸曲面で形成される。筐体１７の両側面には、プッシュプルグリップ１５の中央が容易に把持できるように切欠３１が形成される。筐体１７には、プッシュプルグリップ１５の両端をそれぞれ包囲して支持するカバー部３３が上下に対となって形成される。この筐体１７は、一対のカバー部３３が、筐体中央部３５により連結される。筐体中央部３５には、内方に空間部３７が形成されている。この空間部３７と一対のカバー部３３の各内側空間と連通している。
【００３０】
本実施形態では、筐体１７は、アンテナ（図示略）を内蔵するために、一部が樹脂材からなる。すなわち、筐体１７は、アルミダイカスト部分と樹脂部分とを一体的に成形してなる。筐体１７は、少なくともアンテナを覆う部分が樹脂材からなる。アンテナは、プッシュプルグリップ１５の背面側となる筐体１７の内方に収容されることになる。
【００３１】
サムターン５０は、一対のカバー部３３の少なくともいずれか一方に設けられる。本実施形態では、一対のカバー部３３の双方にサムターン５０が設けられる。これらのサムターン５０は、扉２５に設けられるシリンダー錠１３に接続された錠箱１１に対し、施解錠操作力を入力する。
【００３２】
なお、室内側ユニット３００は、プッシュプルグリップ１５の一端１６のみが支持されて、サムターンが１つとなる構成であってもよい。この場合、室内側ユニット３００は、図示は省略するが、筐体１７が、プッシュプルグリップ１５の他端への延在方向と同方向に延びて、室内面２９に沿う長尺形状に形成される。この場合、筐体１７は、プッシュプルグリップ１５の一端１６を包囲して支持する。そして、サムターン５０は、プッシュプルグリップ１５の一端１６からプッシュプルグリップ１５の仮想延長上における筐体１７に設けられ、扉２５に設けられるシリンダー錠１３に接続された錠箱１１に対し、施解錠操作力を入力する。
【００３３】
駆動ユニットは、筐体１７の内方に設けられる。駆動ユニットは、サムターン５０のサムターン軸を回転させるためのモーター（図示略）を備える。この場合、サムターン軸は、駆動ユニットを貫通して、錠箱１１に接続される。なお、サムターン軸は、駆動ユニットの出力軸３９に連結される構造であってもよい。この場合、出力軸３９が錠箱１１に接続される。本実施形態では、出力軸３９が錠箱１１に接続される。
【００３４】
制御盤１９は、駆動ユニットのモーターに電気的に接続される。この制御盤１９は、筐体中央部３５における空間部３７に配置される。なお、制御盤１９は、電子部品や、半導体装置を実装した回路基板を、樹脂製のハウジングに収容したものとなる。
【００３５】
電池ボックス２１は、筐体１７と一体的に形成されて、筐体１７に付設される。電池ボックス２１には、電池４１が収容される。本実施形態では複数の電池４１で構成され、これら電池４１を収容した電池ボックス２１は、蓋カバー４２により閉鎖される。本実施形態において、電池ボックス２１は、筐体１７の下端に、筐体１７を延出させた形状で、筐体１７とは別体構成とされるもののカバー部３３の形状に一体的デザインで形成される。電池ボックス２１は、ユーザーが電池交換を可能としている。このため、電池ボックス２１は、取り扱いしやすい位置であるプッシュプルグリップ１５の延在方向下側の位置、正面から見てプッシュプルグリップ１５の鉛直方向下側の位置に配設している。言い換えれば、プッシュプルグリップ１５が邪魔となって扱いにくい位置であるプッシュプルグリップ１５の背面側の位置での設置は避けている。この位置には、後述の設定スイッチを配置している。
【００３６】
なお、室内側ユニット３００は、制御盤１９と電池ボックス２１とが、共に空間部３７に配置される構成としてもよい。また、筐体１７の側部やカバー部３３の側部などに配置される構成としてもよい。
【００３７】
給電用配線２３は、筐体１７の内方で電池ボックス２１と制御盤１９とを接続する。この他、筐体１７の内方には、給電用配線２３に加え、制御信号用の制御用配線が配索される。これら給電用配線２３と制御用配線とは、束ねられてワイヤーハーネス４３の形態で形成される。ワイヤーハーネス４３は、駆動ユニット及び制御盤１９を筐体１７に固定するベースプレート４５の内方で配索される。
【００３８】
図４は図１に示した施解錠装置の側断面図である。
プッシュプル錠１００は、室内側から扉２５を開放する際、筐体１７に対しプッシュプルグリップ１５が押し込み方向に可動されることで、扉２５に内蔵された錠箱１１のラッチボルトを錠箱内へ後退させ、扉２５を押す方向に開放可能にする。これにより、扉２５の開放方向とラッチボルトの後退操作を一致させ、扉２５の良好な開放操作性を実現している。
【００３９】
図５は図４の上側部分の拡大図である。
本実施形態において、プッシュプルグリップ１５は、上端側が、押し込み方向に可動される際の揺動先端側となる。プッシュプルグリップ１５の上端には、略Ｔ字状の作動片４７がリンク機構により連結される。プッシュプルグリップ１５は、押し込み操作力を、この作動片４７を介して錠箱１１のラッチ機構２７にラッチボルトを後退させる操作力として入力する。
【００４０】
図６は図４の下側部分の拡大図である。
プッシュプルグリップ１５は、下端が、揺動軸４９により回転自在となって筐体１７に支持される。つまり、プッシュプルグリップ１５は、下端側が、押し込み方向に可動される際の揺動中心側となっている。
【００４１】
室内側ユニット３００では、サムターン５０が、上側サムターン５１と下側サムターン５３との上下で対となって設けられ、モーターが、上側サムターン５１を作動する上側モーターと下側サムターン５３を作動する下側モーターとの上下で設けられている。制御盤１９は、施解錠ボタン（図示せず）等からの外部からの施解錠信号に応じ、上側モーター、下側モーターを回転させ、サムターン軸を施錠または解錠方向へ回転可能としている。これにより、上側サムターン５１及び下側サムターン５３は、制御盤１９によって上側モーター及び下側モーターの双方が駆動制御されることにより施解錠回転される。
【００４２】
図７（ａ）は図１に示した室内側ユニットにおける上側部分の背面図、（ｂ）は図１に示した室内側ユニットにおける下側部分の背面図である。
筐体中央部３５には、制御盤１９が収容される。筐体１７には、制御盤１９の上方にラッチ機構２７を挟んで上側モーターを収容した上側駆動ユニット５５が収容される。また、筐体１７には、制御盤１９の下方にラッチ機構２７を挟んで下側モーターを収容した下側駆動ユニット５７が収容される。下側駆動ユニット５７の下側には、電池ボックス２１が付設されている。筐体１７には、配線空間が確保される。この配線空間には、上記のワイヤーハーネス４３が配索される。すなわち、上側駆動ユニット５５は、ワイヤーハーネス４３により制御盤１９と接続される。下側駆動ユニット５７は、ワイヤーハーネス４３により制御盤１９と接続される。ワイヤーハーネス４３は、上側駆動ユニット５５、下側駆動ユニット５７に対してコネクタ５９を介して嵌合接続されている。また、ワイヤーハーネス４３には、電池ボックス２１からの給電用配線２３が一体に束ねられている。
【００４３】
室内側ユニット３００では、電池ボックス２１と制御盤１９とが給電用配線２３によって接続され、制御盤１９と、上側駆動ユニット５５及び下側駆動ユニット５７とが、ワイヤーハーネス４３によって予め接続される。これにより、現地での電気配線工事が一切不要となっている。
【００４４】
図８（ａ）は図１に示した室内側ユニットの蓋体閉状態の一部裁断正面図、（ｂ）は図１に示した室内側ユニットの蓋体開状態の一部裁断正面図である。
制御盤１９は、室内面２９とプッシュプルグリップ１５との間における筐体１７の内方に設けられる。制御盤１９は、筐体１７に備えられた開閉自在な蓋体６１により設定スイッチ６３が表出自在となっている。
【００４５】
制御盤１９には、設定スイッチ６３が設けられる。設定スイッチは、例えばディップスイッチ６３により構成される。この設定スイッチ６３は、例えば上下にスライド操作される蓋体６１により表出自在に隠される。設定スイッチ６３は、ユーザーが頻繁に操作しない。このため、設定スイッチ６３は、取り扱いにくい位置であるプッシュプルグリップ１５の背面側の位置、正面から見てプッシュプルグリップ１５に隠れる位置としている。これにより、設定スイッチ６３は、アクセス距離は短いものの、容易には手に触れないようになされている。一方で、上記の電池ボックス２１は、取り扱い容易なプッシュプルグリップ１５の鉛直方向下側の位置に配置されている。このようにして、電池ボックス２１と設定スイッチ６３とは、操作性、隠蔽性が考慮されて、適材適所に配置されるようになされている。
【００４６】
制御盤１９には、アンテナが接続される。アンテナは、室内面２９とプッシュプルグリップ１５との間における筐体１７の内方に設けられる。アンテナは、筐体１７の樹脂材からなる部分に覆われる。このアンテナは、ユーザーが使用するリモコンなどの携帯端末との通信を行う。アンテナは、筐体１７の上側のカバー部３３と、下側のカバー部３３との間の空間部３７に収容される。この空間部３７の高さ位置は、リモコンなどを使う場合に、ユーザーの持つリモコンの高さと合わせやすい位置となる。
【００４７】
また、アンテナは、筐体中央部３５に配置することで、室内面２９により近い位置で、室外側との距離を短くしている。このアンテナの検知範囲は、アンテナを中心に球状に広がるものである。このことで、アンテナは、室外からのリモコンの検知エリアを広げ、リモコンの操作の確実さも向上する。
【００４８】
次に、上記した構成の作用を説明する。
本実施形態に係る室内側ユニット３００では、室内側ユニット３００のみを交換するだけで、既存のプッシュプル錠が電気錠（電池錠）に交換可能となる。つまり、扉２５に簡単に取り付けできる。電気的構成を扉２５に増設せずに、扉２５の室内面２９への取り付け、交換作業のみで、手動の施解錠装置から電気錠式のプッシュプル錠１００に変更が可能となる。取り付けるために扉２５の室内面２９に彫り込みなどの加工をする必要がなく、配線を通すための貫通孔を扉２５に施工する必要もない。また、内外ユニット間の配線なしに取り付けできる。すなわち、室内側のユニットを交換するのみで、既存の手動施解錠装置が電気錠式のプッシュプル錠１００に変わる。
【００４９】
また、電池ボックス以外の電気錠の構成を、筐体１７に収めることにより、筐体１７をコンパクト化できる。これにより、ダイカスト製の筐体１７の製造を容易にできる。また、室内側ユニット３００は、電池ボックス２１を筐体１７と別体に構成することにより、電池ボックス２１に対する取付位置の自由度を高めることもできる。
【００５０】
また、室内側ユニット３００は、取り付けるために扉２５の室内面２９に彫り込みなどの加工をする必要がなく、配線を通すための貫通孔を扉２５に施工する必要もない。すなわち、室内側のユニットを交換するのみで、電気工事を一切行うことなく、手動の施解錠装置が電気錠式のプッシュプル錠１００に変わる。
【００５１】
また、電池ボックス以外の電気錠の構成を、筐体１７に収めることにより、筐体１７をコンパクト化できる。これにより、金型や射出装置を小型にでき、ダイカスト製の筐体１７の製造を容易にでき、また外観のデザイン変更なども容易となる。
【００５２】
これに加え、室内側ユニット３００は、部品の共通化が可能となる。すなわち、室内側ユニット３００は、サムターンが２つの場合と１つの場合がある。室内側ユニット３００では、サムターン及び駆動ユニットをそれぞれ収めることのできる一対のカバー部３３を筐体１７に備えるので、サムターン及び駆動ユニットを増減することで、どちらの仕様にも対応が可能となる。つまり、筐体１７は、サムターンが２つ用と１つ用の共通筐体となっている。その結果、取り付け・取り替えを簡易に行うことができるとともに、異なる仕様に対して部品を共通化することができる。
【００５３】
また、室内側ユニット３００は、筐体１７の両端に設けられる一対のカバー部３３を連結している筐体中央部３５が、空間部３７を有する。制御盤１９は、この空間部３７に収容される。空間部３７は、プッシュプルグリップ１５の背面側に配置されるので、上下カバー部３３の間を短い距離で配置・配線が可能となる。その反面、空間部３７は、筐体中央部３５に覆われた中空部分であるので、手指が触れないような隠蔽構造に形成できる。その結果、制御盤１９に対する設定作業を行いやすく、且つ制御盤１９には容易には触れないようにできる。
【００５４】
また、室内側ユニット３００は、電池ボックス２１を、制御盤１９と同様に、空間部３７に設けるように構成してもよい。これにより、制御盤１９を配置した作用と同様の作用を、電池ボックス２１に対しても得ることができる。すなわち、電池ボックス２１を、プッシュプルグリップ１５の背面側に配置した場合では、短い距離で配置・配線が可能となる。
【００５５】
空間部３７は、筐体中央部３５に覆われた中空部分であるので、手指が触れないような隠蔽構造に形成できる。空間部３７は、制御盤１９に対する設定作業を行いやすく、且つ制御盤１９には容易には触れないようにできる。
【００５６】
また、室内側ユニット３００は、制御盤１９が設定スイッチ６３を備える。設定スイッチ６３は、非操作時、蓋体６１により手指が触れないような隠蔽構造で覆われる。一方、操作時には、蓋体６１が開かれることにより、プッシュプルグリップ１５の近傍で表出し、容易なアクセスが可能となる。これにより、プッシュプルグリップ１５の背面側の部分も使い、室内側ユニット３００をコンパクトに構成しながら、ユーザーの使いやすさに配慮することができる。その結果、制御盤１９に設けられた設定スイッチ６３に対し、容易な設定作業と、不用意な接触の回避とを簡素な構造で実現できる。
【００５７】
また、室内側ユニット３００は、アンテナが、ユーザーの使うリモコン等の携帯端末と通信を行うことができる。アンテナは、検知範囲がアンテナを中心に球状に広がる。このアンテナは、室内面２９とプッシュプルグリップ１５との間、すなわち、プッシュプルグリップ１５の背面側における筐体１７の内方に設けられる。また、アンテナは、プッシュプルグリップ１５の延在方向における中央部分の背面側に配置される。これにより、アンテナは、ユーザーが使うリモコン等との高さと近接させ、且つ扉２５の室外面により近い部分での配置が可能となる。その結果、ユーザーが使用するリモコン等に対する検知エリアを広げることができる。
【００５８】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００５９】
例えば、上記構成例の施解錠装置は、プッシュプルグリップの両端が支持される構成を説明したが、施解錠装置はプッシュプルグリップの両端が支持されない片持ち状の構造であってもよい。その場合、サムターン及びシリンダー錠は１組になる。また、施解錠装置は、プッシュプルグリップの両端が支持される構造であっても、サムターンとシリンダーとの組み合わせが１組で片側、すなわち上または下のみであってもよい。すなわち、施解錠装置は、錠装置（錠箱）が扉に１つしか構成されていないタイプや、錠装置（錠箱）が上下にそれぞれ構成されるとともに連動機構で連結され、１組のサムターンとシリンダー錠で施解錠が行える構成のタイプにも共通部品で対応できる。また、施解錠装置は、電池ボックスが、一対のカバー部の間にある空間部にあってもよい。この他、電池ボックスは、筐体の側部や上部などであってもよい。さらに、電池ボックスは、筐体と一体化構造としてもよい。
【００６０】
従って、本実施形態に係る室内側ユニット３００によれば、取り付け・取り替えを簡易に行うことができる。
【符号の説明】
【００６１】
１１…錠箱
１３…シリンダー錠
１５…プッシュプルグリップ
１７…筐体
１９…制御盤
２１…電池ボックス
２３…給電用配線
２５…扉
２９…室内面
３３…カバー部
３５…筐体中央部
３７…空間部
５０…サムターン
５５…駆動ユニット（上側駆動ユニット）
５７…駆動ユニット（下側駆動ユニット）
６１…蓋体
６３…設定スイッチ（ディップスイッチ）
３００…施解錠装置（室内側ユニット）
【手続補正２】
【補正対象書類名】特許請求の範囲
【補正対象項目名】全文
【補正方法】変更
【補正の内容】
【特許請求の範囲】
【請求項１】
扉の室内面に取り付けられる略棒状のプッシュプルグリップと、
前記プッシュプルグリップの両端をそれぞれ包囲して支持するカバー部が対となって形成され、一対の前記カバー部を連結する筐体中央部が空間部を有し、前記プッシュプルグリップの延在方向と同方向に延びて前記室内面に沿う筐体と、
一対の前記カバー部の少なくともいずれか一方に設けられ、前記扉に設けられるシリンダー錠に接続された錠箱に対し、施解錠操作力を入力するサムターンと、
前記筐体の内方に設けられる駆動ユニットと、
前記駆動ユニットに設けられ、前記サムターンのサムターン軸を回転させるモーターに接続される制御盤と、
前記筐体に付設される電池ボックスと、
前記筐体の内方で前記電池ボックスと前記制御盤とを接続する給電用配線と、
を具備することを特徴とする施解錠装置。
【請求項２】
前記制御盤は、前記空間部に配置されることを特徴とする請求項１記載の施解錠装置。
【請求項３】
前記電池ボックスは、前記空間部に配置されることを特徴とする請求項１記載の施解錠装置。
【請求項４】
扉の室内面に取り付けられる略棒状のプッシュプルグリップと、
前記プッシュプルグリップの一端を包囲して支持し、前記プッシュプルグリップの他端への延在方向と同方向に延びて前記室内面に沿う筐体と、
前記一端から前記プッシュプルグリップの仮想延長上における前記筐体に設けられ、前記扉に設けられるシリンダー錠に接続された錠箱に対し、施解錠操作力を入力するサムターンと、
前記筐体の内方に設けられる駆動ユニットと、
前記駆動ユニットに設けられ、前記サムターンのサムターン軸を回転させるモーターに接続される制御盤と、
前記筐体に付設される電池ボックスと、
前記筐体の内方で前記電池ボックスと前記制御盤とを接続する給電用配線と、
を具備することを特徴とする施解錠装置。